(57)【特許請求の範囲】
【請求項１】
各種の情報を表示する液晶表示器を具備し、かつ、空気清浄化装置または換気装置が内蔵された室内ユニットを備え、リモコンを介して前記空気清浄化装置による空気清浄化運転または前記換気装置による換気運転の実行を要求する指示を前記室内ユニットに対して与えることが可能な空気調和機であって、
室内空気の汚染が検知されたときの液晶表示器は、検知内容の告知表示と、空気清浄化運転または換気運転の実行を使用者へ指示する告知表示とを文章で交互に繰り返して行うものであることを特徴とする空気調和機。
【請求項２】
各種の情報を表示する液晶表示器を具備し、かつ、除湿装置が内蔵された室内ユニットを備え、リモコンを介して前記除湿装置による除湿運転の実行を要求する指示を前記室内ユニットに対して与えることが可能な空気調和機であって、
室内空気の湿度の上昇が検知されたときの液晶表示器は、検知内容の告知表示と、除湿運転の実行を使用者へ指示する告知表示とを文章で交互に繰り返して行うものであることを特徴とする空気調和機。
【請求項３】
各種の情報を表示する液晶表示器を具備し、かつ、加湿装置が内蔵された室内ユニットを備え、リモコンを介して前記加湿装置による加湿運転の実行を要求する指示を前記室内ユニットに対して与えることが可能な空気調和機であって、
室内空気の湿度の低下が検知されたときの液晶表示器は、検知内容の告知表示と、加湿運転の実行を使用者へ指示する告知表示とを文章で交互に繰り返してを行うものであることを特徴とする空気調和機。
【請求項４】
請求項１ないし請求項３のいずれかに記載した空気調和機であって、
液晶表示器での告知表示は、通常表示と異なるバックライト色で行われることを特徴とする空気調和機。
【発明の詳細な説明】
【０００１】
【発明の属する技術分野】
本発明は空気調和機に係り、詳しくは、液晶表示器を具備して構成された室内ユニットを備えてなる空気調和機に関する。
【０００２】
【従来の技術】
空気調和機のうちには空調すべき室内の壁面などに配設される室内ユニットと室外に設置される室外ユニット（図示省略）とを備えて分離型といわれるものがあり、近年における空気調和機は、図１０の説明図で示すように、室内ユニット１へ向かって要求や指示を送信するための遠隔操作器（以下、リモコンという）２を用いながら運転制御されるのが一般的となっている。
【０００３】
そして、ここでの室内ユニット１は、上下風向板３が内装された空気吹出口４の側部位置などに対して配設された液晶表示器５、つまり、運転モードや温度などのような各種の情報を表示するための液晶表示器５を具備したものであり、この液晶表示器５は、図１１の分解斜視図で示すように、文字や記号などを表示する液晶パネル６と、液晶パネル６をその裏面側から照明して液晶表示を鮮明化する複数のＬＥＤからなるバックライト７と、バックライト７を覆ったうえで液晶パネル６に入射する照明光を均一化するユニットカバー８とが組み合わされたものである。
【０００４】
また、この際におけるリモコン２は、予め設定された指示内容を表示するリモコン表示部９と、空気調和機の運転制御に必要な指示を送信するために操作される各種の操作ボタン１０とが配設されたものであり、このリモコン２から室内ユニット１に対しては、空気調和機を運転制御するのに必要な指示が操作ボタン１０の操作に伴って送信されることになっている。
【０００５】
【発明が解決しようとする課題】
ところで、室内空気が汚れているときや室内空気の湿度が低下し、また、上昇した際などにおいては、空気調和機の換気運転や加湿運転、あるいは、除湿運転を行うことが好ましいが、このような状態であることに自らが気付いたユーザがリモコン２を介して指示することを行わない限り、これらの運転動作は実行されないのが一般的である。さらに、空気調和機が故障している場合や、例えば、除霜運転中であるために暖房運転の指示が受け付けられない場合などであっても、従来の空気調和機では、このような状態であることがユーザに対して告知されないため、不要な心配や混乱をユーザに起こさせてしまうことになっていた。
【０００６】
本発明はこれらの不都合に鑑みて創案されたものであり、その時々で変化する環境や機器自体の状態に対応した適切な運転動作が実行されるようユーザの注意を喚起し、適切な指示を要求する構成とされた空気調和機の提供を目的としている。
【０００７】
【課題を解決するための手段】
本発明の請求項１に係る空気調和機は、各種の情報を表示する液晶表示器を具備し、かつ、空気清浄化装置または換気装置が内蔵された室内ユニットを備え、リモコンを介して前記空気清浄化装置による空気清浄化運転または前記換気装置による換気運転の実行を要求する指示を前記室内ユニットに対して与えることが可能なものであり、室内空気の汚染が検知されたときの液晶表示器は、検知内容の告知表示と、空気清浄化運転または換気運転の実行を使用者へ指示する告知表示とを文章で交互に繰り返して行うものであることを特徴とする。そこで、空気清浄化運転または換気運転の実行を促す旨の告知表示が液晶表示器でもって行われていることに気付いたユーザは、空気調和機が運転中であれば空気清浄化運転または換気運転を同時に、また、空気調和機が運転停止中であれば空気清浄化運転または換気運転のみを単独でリモコンを介した指示によって実行させることになる。
【０００８】
さらに、空気調和機が自動運転モードであれば、液晶表示器でもって文章で空気清浄化運転または換気運転の実行を促す旨の告知表示を行った後、引き続いて空気清浄化運転または換気装置の運転が開始されるような構成を採用してもよく、空気清浄化運転または換気装置を運転中の液晶表示器では空気清浄化運転または換気運転を実行中である旨の告知表示が文章で行われる。そして、空気清浄化運転または換気装置の運転が終了した際における液晶表示器では、空気清浄化運転または換気運転が終了した旨の告知表示が文章で行われることになる。
【０００９】
本発明の請求項２に係る空気調和機は、各種の情報を表示する液晶表示器を具備し、かつ、除湿装置が内蔵された室内ユニットを備え、リモコンを介して前記除湿装置による除湿運転の実行を要求する指示を前記室内ユニットに対して与えることが可能なものであり、室内空気の湿度の上昇が検知されたときの液晶表示器は、検知内容の告知表示と、除湿運転の実行を使用者へ指示する告知表示とを文章で交互に繰り返して行うものであることを特徴とする。そこで、除湿運転の実行を使用者へ指示する告知表示が液晶表示器で行われていることに気付いたユーザは、空気調和機が運転中であれば除湿運転を同時に、また、空気調和機が運転停止中であれば除湿運転のみを単独でリモコンを介した指示によって実行させることになる。なお、ここでは除湿運転としているが、結露予防運転の場合なども同様である。
【００１０】
本発明の請求項３に係る空気調和機は、各種の情報を表示する液晶表示器を具備し、かつ、加湿装置が内蔵された室内ユニットを備え、リモコンを介して前記加湿装置による加湿運転の実行を要求する指示を前記室内ユニットに対して与えることが可能なものであり、室内空気の湿度の低下が検知されたときの液晶表示器は、検知内容の告知表示と、加湿運転の実行を使用者へ指示する告知表示とを文章で交互に繰り返してを行うものであることを特徴とする。従って、この請求項３に係る空気調和機でも、加湿運転の実行を促す旨の告知表示が液晶表示器で行われていることに気付いたユーザが、リモコンを介した指示によって加湿運転を実行させることになる。
【００１２】
本発明の請求項４に係る空気調和機は、請求項１ないし請求項３のいずれかに記載したものであり、液晶表示器での告知表示は、通常表示と異なるバックライト色で行われることになる。
【００１８】
【発明の実施の形態】
以下、本発明の実施の形態を図面に基づいて説明する。
（実施の形態１）
図１は実施の形態１に係る空気調和機が備える室内ユニットの要部を示す正面図、図２は室内ユニットの内部構造を簡略化して示す断面図、図３は室内空気の汚染と経過時間との関係を示す説明図であり、図４は実施の形態１に係る液晶表示器の告知表示を示す説明図である。なお、本実施の形態に係る室内ユニットとリモコンとの関係及び液晶表示器の構成は従来の形態と同じであるから図１０及び図１１を参照して説明することとし、また、図１及び図２において図１０及び図１１と同一になる部品、部分には同一符号を付している。
【００１９】
本実施の形態に係る空気調和機は、従来同様、室内ユニット１と室外ユニット（図示省略）とを備えて構成されたものであり、この空気調和機はリモコン２から送信されてくる指示を受けたマイクロコンピュータ（図示省略）でもって運転制御されることになっている。そして、この際における室内ユニット１は樹脂製などのキャビネット１１を具備しており、空気吸込口１２が正面側位置に形成され、かつ、上下風向板３を内装した空気吹出口４が下側位置に形成されたキャビネット１１の内部には、熱交換器や送風ファンなどの冷暖房用機器（図示省略）が配設されている。なお、図中の符号Ａは室内空気の流通経路、符号Ｂは壁面をそれぞれ示している。
【００２０】
また、室内ユニット１が具備するキャビネット１１には、室内空気が汚れたことを検出すべく空気吸込口１２付近に配置されたガスセンサ１３とともに、室内空気の汚染を解消して清浄化するための空気清浄化装置１４が内蔵されており、この空気清浄化装置１４は、例えば、清浄化フィルタ１５と、この清浄化フィルタ１５を介して吸引した室内空気を空気吹出口４から室内へと吹き出させる循環ファン１６とが組み合わされたもの、あるいは、電気集塵器（図示省略）を用いて構成されたものとなっている。なお、ここではガスセンサ１３でもって室内空気の汚れを検出しているが、ガスセンサ１３に限定されず、空気の汚染を検出し得るセンサでありさえすればよいことは勿論である。ところで、室内空気を清浄化する機器が空気清浄化装置１４のみに限られることはなく、汚れた室内空気を室外へと排出する換気装置（図示省略）であってもよいことは勿論であり、このような換気装置としては、本発明の出願人が既に提案済みの特開平８−２７０９８０号公報や特開平１０−４７７０６号公報などで開示された除加湿装置や加湿装置のようなものが利用可能である。
【００２１】
一方、キャビネット１１における空気吹出口４の側部位置には液晶表示器５、つまり、運転モードや温度などのような各種の情報を表示するための液晶表示器５が配設されており、この液晶表示器５は、図１１で示したように、文字や記号などを表示する液晶パネル６と、液晶パネル６をその裏面側から照明して液晶表示を鮮明化する複数のＬＥＤからなるバックライト７と、バックライト７を覆ったうえで液晶パネル６に入射する照明光を均一化するユニットカバー８とが組み合わされた構成を有している。なお、液晶表示器５が空気吹出口４の側部位置に配設されている必然性があるわけではなく、室内ユニット１の正面側であれば他の位置であってもよいことは当然であり、また、バックライト７の具備する発光素子がＬＥＤには限られず、複数色発光のＥＬライトであってもよいことは勿論である。
【００２２】
つぎに、本実施の形態に係る空気調和機の動作を、図３及び図４に基づいて説明する。
【００２３】
すなわち、室内ユニット１が配設された室内の空気が汚染しているか否かはガスセンサ１３を介したうえでマイクロコンピュータによって監視されており、空気調和機の運転中における室内空気の汚染が基準値、例えば、図３中のＡレベルを超えたと判断されるのに伴って室内空気の汚染が検知されたときには、室内ユニット１のキャビネット１１に配設されている液晶表示器５における運転中の通常表示、つまり、温度などの通常表示が換気運転の実行を促す旨の告知表示、例えば、図４（ａ）で示すように、「部屋の空気が汚れました」及び「清浄化して下さい」を交互に繰り返す告知表示へと変更される。なお、室内空気の汚染が基準値を超えた際における空気調和機が運転停止中であれば、液晶表示器５では、図４（ｂ）で示すように、「部屋の空気が汚れています」及び「清浄化して下さい」というような告知表示が行われることになる。
【００２４】
そして、液晶表示器５でもって空気清浄化運転の実行を促す旨の告知表示が行われていると、ユーザは空気清浄化運転を実行する必要性に気付き易いことになり、液晶表示器５の告知表示に気付いたユーザは、リモコン２を介したうえで指示、つまり、空気清浄化装置１４による空気清浄化運転の実行を要求する指示を室内ユニット１に対して与える。すると、運転中の空気調和機では空気清浄化装置１４による空気清浄化運転が同時に、また、運転停止中の空気調和機では空気清浄化運転が単独で実行されることになり、空気清浄化装置１４によっては、循環ファン１６によって吸引した室内空気の汚れを清浄化フィルタ１５で漉し取ったうえで室内へと吹き出すことが行われる。なお、空気清浄化運転中の液晶表示器５では、図示省略しているが、「清浄化運転中」というような告知表示が行われることになる。
【００２５】
一方、空気調和機の室内ユニット１が換気装置を内蔵したものである際には、図示省略しているが、液晶表示器５によって「換気して下さい」のような告知表示が行われることになり、液晶表示器５の告知表示に気付いたユーザは、リモコン２を介したうえで換気装置による換気運転の実行を要求する指示を室内ユニット１に対して与えることになる。その結果、運転中の空気調和機では換気装置による換気運転が同時に、また、運転停止中の空気調和機では換気運転のみが単独で実行されることになり、換気装置によっては、汚れた室内空気を室外へと排出することが行われる。
【００２６】
さらに、引き続き、空気清浄化運転の実行に伴って室内空気の汚染状態が徐々に解消され、かつ、室内空気の汚染が基準値、例えば、図３中のＢレベルよりも低下した際の液晶表示器５では、図４（ｃ）で示すように、「きれいになりました」及び「清浄化運転解除」を交互に繰り返すような告知表示、つまり、空気清浄化装置１４の運転が終了した旨の告知表示が行われることになる。そこで、このような告知表示が液晶表示器５でもって行われていることに気付いたユーザはリモコン２を介して空気清浄化運転の停止を指示することになり、空気清浄化装置１４による空気清浄化運転は停止される。その後、液晶表示器５では、通常表示が行われることになる。
【００２７】
ところで、本実施の形態に係る空気調和機のマイクロコンピュータが自動運転モードといわれる運転制御機能を有するものであってもよいことは勿論であり、空気調和機が自動運転モードである際には、液晶表示器５でもって空気清浄化運転または換気運転の実行を促す旨の告知表示を行った後、空気清浄化運転または換気運転を実行するためのユーザによる指示を待つことなく、引き続いて空気清浄化装置１４または換気装置の運転が開始されるような構成を採用することも可能である。そして、このような構成であれば、ユーザを煩わさなくても空気清浄化が必要な際には自動的に空気清浄化運転または換気運転が実行されるため、空気調和機における利便性が大いに増すことになる。
【００２８】
（実施の形態２）
図５は実施の形態２に係る室内ユニットの内部構造を簡略化して示す断面図、図６は室内空気の湿度と経過時間との関係を示す説明図であり、図７及び図８は実施の形態２に係る液晶表示器の告知表示を示す説明図である。なお、本実施の形態に係る室内ユニットとリモコンとの関係及び液晶表示器の構成は従来の形態と同じであり、また、室内ユニットの要部の構成は実施の形態１と同じであるから、図５において図１及び図２、図１０及び図１１のそれぞれと互いに同一になる部品、部分には同一符号を付し、ここでの詳しい説明は省略する。
【００２９】
本実施の形態に係る空気調和機は室内ユニット１を備えて構成されたものであり、この室内ユニット１が具備するキャビネット１１には、室内空気の湿度を検出すべく空気吸込口１２付近に配設された湿度センサ１８とともに、室内空気から水分を除去するための除湿装置１９、もしくは、室内空気に水分を供給するための加湿装置２０が内蔵されている。そして、この際における除湿装置１９は、水分を吸着するゼオライトなどの吸湿素材が塗布された除湿フィルタ２１と、この除湿フィルタ２１を介して吸引した室内空気を空気吹出口４から室内へと吹き出させる循環ファン２２とが組み合わされたものである一方、加湿装置２０は、水分を吸着している加湿フィルタ２３と、この加湿フィルタ２３を介して吸引することによって加湿された室内空気を空気吹出口４から室内へと吹き出させる循環ファン２２とが組み合わされたものとなっている。
【００３０】
ところで、本実施の形態における除湿装置１９及び加湿装置２０が、既に提案済みの特開平８−２７０９８０号公報や特開平１０−４７７０６号公報などで開示された除加湿装置や加湿装置であってもよいことは勿論である。すなわち、例えば、特開平８−２７０９８０号公報で開示された除加湿装置は、図示省略しているが、空気中の水分を吸着するための通風孔が形成された吸湿素材が２つに仕切られた通風路の相互間を回転する構造とされ、かつ、一方の通風路内を流通する空気中の水分を吸湿素材で奪い取って除湿するとともに、他方の通風路内を流通している空気に奪い取った水分を与える、つまり、吸湿素材を加熱した際に蒸発する水分を他方側の空気に与えて加湿する構成とされたものであり、このような除加湿装置を使用すれば、本実施の形態における除湿装置１９及び加湿装置２０が一体化された機器としての機能を実現し得ることとなる。
【００３１】
つぎに、本実施の形態に係る空気調和機の動作を図６ないし図８に基づいて説明するが、ここでは、室内空気の湿度が上昇した際の動作をまず最初に説明したうえ、室内空気の湿度が低下した際の動作を説明することとする。
【００３２】
室内空気の湿度は室内ユニット１のキャビネット１１内に配設された湿度センサ１８を介したうえで空気調和機のマイクロコンピュータによって監視されており、空気調和機の運転中における室内空気の湿度が基準値、例えば、図６中に示したＡレベルを超えたと判断されて湿度の上昇が検知されたときには、液晶表示器５における運転中の通常表示が除湿運転の実行を促す旨の告知表示、例えば、図７（ａ）で示すように、「湿度が高くなりました」及び「除湿して下さい」を交互に繰り返す告知表示へと変更されることになる。なお、空気調和機が運転停止中であれば、図示省略しているが、「湿度が高いです」及び「除湿して下さい」というような告知表示が繰り返して行われる。
【００３３】
そして、液晶表示器５でもって除湿運転の実行を促す旨の告知表示が行われていることに気付いたユーザが、リモコン２を介したうえで除湿装置１９による除湿運転の実行を要求する指示を室内ユニット１に対して与えると、運転中の空気調和機では除湿装置１９による除湿運転が同時に、また、運転停止中の空気調和機では除湿装置１９による除湿運転が単独で実行されることになり、循環ファン２２によって吸引した室内空気中の水分を除湿フィルタ２１で奪い取ったうえで室内へと戻すことによる室内空気の除湿が行われる。その後、このような除湿運転に伴って室内空気の湿度が適正となり、室内空気の湿度が基準値、例えば、図６中のＢレベルよりも低下すると、液晶表示器５においては、図７（ｂ）で示すように、「快適湿度になりました」及び「除湿運転解除」を交互に繰り返すような告知表示、つまり、除湿装置１９の運転が終了した旨の告知表示が行われることになり、ユーザはリモコン２を介して除湿運転の停止を指示することになる。
【００３４】
これに対し、室内空気の湿度が低下した際の空気調和機では、以下のような動作が実行される。すなわち、まず、空気調和機の運転中における室内空気の湿度が基準値を超えたと判断されて湿度の低下が検知されたときには、液晶表示器５における運転中の通常表示が加湿運転の実行を促す旨の告知表示、例えば、図８（ａ）で示すように、「湿度が低くなりました」及び「加湿して下さい」を交互に繰り返す告知表示へと変更される。なお、空気調和機が運転停止中であれば、図示省略しているが、「湿度が低いです」及び「加湿して下さい」というような告知表示が繰り返して行われることになる。
【００３５】
そして、液晶表示器５でもって加湿運転の実行を促す旨の告知表示が行われていることに気付いたユーザが、リモコン２を介したうえで加湿装置２０による加湿運転の実行を要求する指示を室内ユニット１に対して与えると、運転中の空気調和機では加湿装置２０による加湿運転が同時に、また、運転停止中の空気調和機では加湿装置２０による加湿運転が単独で実行されることになり、循環ファン２２によって吸引した室内空気に対して加湿フィルタ２３から水分を供給したうえで室内へと吹き出すことによる室内空気の加湿が行われる。その結果として室内空気の湿度が適正となり、室内空気の湿度が基準値よりも上昇すると、液晶表示器５では、図７（ｂ）で示すように、「快適湿度になりました」及び「加湿運転解除」を交互に繰り返すような告知表示、つまり、加湿装置２０の運転が終了した旨の告知表示が行われることになり、ユーザはリモコン２を介して加湿運転の停止を指示することになる。
【００３６】
なお、本実施の形態に係る空気調和機が自動運転モードを有する場合には、液晶表示器５でもって除湿運転もしくは加湿運転の実行を促す旨の告知表示を行った後、除湿運転もしくは加湿運転を実行するためのユーザによる指示を待つことなく、引き続いて除湿装置１９もしくは加湿装置２０の運転が自動的に開始される。そして、除湿運転もしくは加湿運転が終了した際には、除湿装置１９もしくは加湿装置２０の運転が終了した旨の告知表示が液晶表示器５でもって行われることになり、その後、液晶表示器５においては通常表示が行われる。
【００３７】
（実施の形態３）
図９は実施の形態３に係る液晶表示器の告知表示を示す説明図であり、室内ユニットとリモコンとの関係及び液晶表示器の構成、また、室内ユニットの要部の構成などは実施の形態１，２及び従来の形態と同じであるから、ここでの詳しい説明は省略する。
【００３８】
本実施の形態に係る空気調和機は、リモコン２から送信されてくる指示を受けたマイクロコンピュータでもって運転制御されることになっており、室内ユニット１と室外ユニットとを備えて構成されたものとなっている。そして、この際におけるマイクロコンピュータは、空気調和機に故障や異常が発生したことを検知する検知手段、あるいはまた、空気調和機が指示された運転動作を実行し得ない状態にあることを検知する検知手段としても機能するものであり、室内ユニット１が具備するキャビネット１１における空気吹出口４の側部位置には、マイクロコンピュータの指示に基づく各種の情報を表示するための液晶表示器５が配設されている。
【００３９】
そこで、実施の形態３に係る空気調和機は、つぎのような動作を行うことになる。すなわち、運転中の空気調和機において故障が発生し、マイクロコンピュータでもって空気調和機の故障が検知されたときの液晶表示器５では、空気調和機が故障である旨の告知表示、例えば、図９で示すように、「故障発生！故障発生！」と「販売店にご連絡下さい」と「型名ＡＡ−１２３Ｗ故障名ＥＦ１２」と「電源コードを抜いてネ」とを交互に繰り返すような告知表示が行われる。そのため、ユーザは液晶表示器５で告知表示された内容に従って対処すればよいだけとなり、不要な心配や混乱をユーザに起こさせることがなくなる。
【００４０】
また、例えば、ユーザの居住地近くで落雷があったための影響で空気調和機の運転動作に支障を来したりすることが起こると、マイクロコンピュータからの指示に基づいた液晶表示器５においては、異常状態が発生している旨を示す告知表示、つまり、「コンセントを入れ直してネ」というような告知表示が行われることになり、このような告知表示に従ったうえでユーザはコンセントを入れ直せばよいことになる。さらにまた、除霜運転中であるために暖房運転の指示が受け付けられないというような状態などである場合にも、このような状態であるとの判断がマイクロコンピュータによって行われることになり、液晶表示器５では指示された運転動作を実行し得ない状態にある旨の告知表示が行われるので、ユーザは慌てずに対処し得ることとなる。
【００４１】
（その他の実施の形態）
ところで、以上説明した実施の形態１ないし実施の形態３それぞれの構成に付加して以下のような種々の構成を採用することも可能である。まず、第１に、液晶表示器５での告知表示を、通常表示とは異なるバックライト色で行うことである。すなわち、液晶表示器５での通常表示は黄色や緑色のバックライト色で行われるのが一般的であるが、空気清浄化運転や換気運転の実行を促す旨などの告知表示を行う際のバックライト色を赤色などへと変化させれば、例えば、「清浄化して下さい」などの告知表示が見慣れている色とは異なる色を有する下地上に浮き上がって見えることとなるので、ユーザに対するインパクトがより一層高まる結果としてユーザの注意が喚起され易くなる。
【００４２】
第２に、液晶表示器５での告知表示は、予め設定された告知時間が経過するまでの間にわたって行われる構成であってもよい。すなわち、従来からの経験上、液晶表示器５での告知表示にユーザが気付くのに必要な時間は概ね５秒ないし３０秒程度であると考えられるので、この程度の時間を告知表示用の時間として予め設定しておき、時間経過後は液晶表示器５での告知表示を消去する構成を採用することも可能である。すなわち、液晶表示器５での告知表示をユーザが気付くまで延々と行っても仕方がないので、ユーザが告知表示に気付くの要するであろうと想定される一定時間が経過した後の液晶表示器５では、告知表示を消去したうえでの通常表示が行われることになる。なお、告知表示の方法としては、液晶表示器５のバックライト７を連続的に点灯する方法や点滅させる方法などが考えられるが、点滅させる場合にあってはバックライト７の点滅周期を１回当たり１秒程度とすることが好ましいとされる。
【００４３】
第３に、液晶表示器５での告知表示は、告知時間が経過して消去された後であっても、ユーザがリモコン２を介して再表示を要求すれば、再表示される構成であることが好ましい。そして、この構成であれば、告知表示の消去後において、液晶表示器５の告知表示を見過ごしたユーザがリモコン２を介して指示すれば、液晶表示器５でもって再び告知表示が行われるため、ユーザが告知表示を確実に認識し得ることとなる。なお、ユーザが告知表示の再表示を要求した際には、液晶表示器５で告知表示した状態が既に解消していることもあるが、告知表示した状態が既に解消しているのであれば、告知表示した状態であったことをユーザに認識させる必要はないから、再表示要求があっても液晶表示器５での告知表示が再表示されない構成であってもよいことは勿論である。
【００４４】
第４に、液晶表示器５での告知表示が、音または音声による報知とともに行われる構成であってもよい。すなわち、以上説明したような各種の運転動作が実行されるよう、あるいは、環境や機器自体の状態変化が生じたことを告知するための表示が液晶表示器５において行われる際には、例えば、ブザー音や音声によって告知表示が行われている旨の報知を同時的に行うことによってユーザの注意を喚起し、適切な指示を要求する構成としておくことが好ましく、このような構成を採用していれば、ユーザが告知表示に気付かないという恐れが低減されることになる。
【００４５】
【発明の効果】
以上説明したように、本発明に係る空気調和機であれば、室内空気が汚れているときや室内空気の湿度が低下し、また、上昇した際などには、液晶表示器で、これらの状態の告知表示と、換気運転や加湿運転、あるいは、除湿運転の実行を促す旨の告知表示とが文章で交互に繰り返して行われるので、液晶表示器の文章を視認したユーザはその時々で変化する環境の状態に気付き易いことになり、これらの状態に対応して必要となる指示を空気調和機に対して確実に与え得ることとなる。  
【図面の簡単な説明】
【図１】実施の形態１に係る空気調和機が備える室内ユニットの要部を示す正面図である。
【図２】室内ユニットの内部構造を簡略化して示す断面図である。
【図３】室内空気の汚染と経過時間との関係を示す説明図である。
【図４】実施の形態１に係る液晶表示器の告知表示を示す説明図である。
【図５】実施の形態２に係る室内ユニットの内部構造を簡略化して示す断面図である。
【図６】室内空気の湿度と経過時間との関係を示す説明図である。
【図７】実施の形態２に係る液晶表示器の告知表示を示す説明図である。
【図８】実施の形態２に係る液晶表示器の告知表示を示す説明図である。
【図９】実施の形態３に係る液晶表示器の告知表示を示す説明図である。
【図１０】従来の形態及び実施の形態に係る空気調和機の構成、具体的には、室内ユニットとリモコンとの関係を示す説明図である。
【図１１】従来の形態及び実施の形態に係る液晶表示器の構成を示す分解斜視図である。
【符号の説明】
１    室内ユニット
５    液晶表示器
１４    空気清浄化装置
１９    除湿装置
２０    加湿装置
【図１】
0003646975.tif 000002
【図２】
0003646975.tif 000003
【図３】
0003646975.tif 000004
【図４】
0003646975.tif 000005
【図５】
0003646975.tif 000006
【図６】
0003646975.tif 000007
【図７】
0003646975.tif 000008
【図８】
0003646975.tif 000009
【図９】
0003646975.tif 000010
【図１０】
0003646975.tif 000011
【図１１】
0003646975.tif 000012